(57)【要約】      （修正有）【課題】スマートフォンを設置したい設置面に対し、複数箇所であってもその都度取り付けたり、複数箇所毎に個々に取り付けたりする煩わしさをなくして簡単に安定して保持することができる安定保持シートを提供する。【解決手段】スマートフォンＳの鏡面状とされた裏面Ｓ１に、当該スマートフォンＳを設置する机上の設置面に対し安定して保持する安定保持シート１の裏面をウレタン系粘着剤１１を介して貼着する。安定保持シート１を、可撓性を有する合成樹脂材により４層構造に構成するとともに、スマートフォンＳの裏面Ｓ１からはみ出さないように当該スマートフォンＳの裏面Ｓ１よりも若干小さめに形成する。安定保持シート１の最表層側のＰＶＣフォーム１２の表面には、設置面に対して吸着により安定して保持効果を発揮する無数の吸着孔を設けている。【選択図】図３
0003209164.tif 000002
【実用新案登録請求の範囲】
【請求項１】
携帯端末の鏡面状とされた裏面には、当該携帯端末を設置する設置面に対し安定して保持するシート材の裏面が接着材を介して貼着されており、
前記シート材は、可撓性を有する合成樹脂材により構成されているとともに、前記携帯端末の裏面からはみ出さないように当該携帯端末の裏面よりも若干小さめに形成され、
前記シート材の表面には、前記設置面に対して吸着により安定して保持効果を発揮する無数の吸着孔が設けられていることを特徴とする携帯端末の安定保持シート。
【請求項２】
前記シート材の表面は、前記設置面に凹凸差が存在している際にその設置面に対し裏面を接着材により貼着した状態で当該設置面の凹凸差を吸収する凹凸差吸収シートを介して設置されている請求項１に記載の携帯端末の安定保持シート。
【請求項３】
前記凹凸差吸収シートとしては、前記設置面に存在する凹凸差が表面粗さ程度の小さなものであるときに当該設置面を鏡面状に変更するように表面が鏡面に形成された凹凸差小吸収シートが適用されている請求項２に記載の携帯端末の安定保持シート。
【請求項４】
前記凹凸差吸収シートとしては、前記設置面に存在する凹凸差が表面粗さよりも大きいものであるときに表面よりも裏面側が表裏方向へ弾性変形するような厚肉に形成された凹凸差大吸収シートが適用されている請求項２に記載の携帯端末の安定保持シート。
【請求項５】
前記シート材の裏面は、前記携帯端末の裏面から離脱させた際に保管されるように、表面が鏡面状となる接着シート片に対し脱着自在に接着されている請求項１〜請求項４のいずれか１つに記載の携帯端末の安定保持シート。
【請求項６】
前記凹凸差吸収シートの裏面は、前記設置面から離脱させた際に保管されるように、表面が鏡面状となる接着シート片に対し脱着自在に接着されている請求項２〜請求項５のいずれか１つに記載の携帯端末の安定保持シート。
【請求項７】
前記シート材の表面を安定して保持する設置面の角度は、前記携帯端末の表面を上向けた水平な状態から鉛直となるまでの範囲に設定されている請求項１〜請求項６のいずれか１つに記載の携帯端末の安定保持シート。
【考案の詳細な説明】
【技術分野】
【０００１】
本考案は、スマートフォンなどの携帯端末を設置したい設置面に対し安定して保持するようにした安定保持シートに関する。
【背景技術】
【０００２】
従来より、この種の携帯端末の安定保持シートとしては、顕微鏡の鏡筒に取り付けられ、かつその鏡筒から顕微鏡観察の画像を通過させる撮像用孔を備えた携帯端末設置ベース上に取り付けたものが知られている。そして、携帯端末は、携帯端末設置ベース上に安定保持シートを介して設置されることで、当該携帯端末のカメラレンズを携帯端末設置ベースの撮像用孔に合致させた状態で安定して保持されるようにしている。
【先行技術文献】
【特許文献】
【０００３】
【特許文献１】特開２０１５−６２０６１号公報
【考案の概要】
【考案が解決しようとする課題】
【０００４】
ところが、前記従来の安定保持シートが携帯端末設置ベース上に取り付けられているため、設置面となる携帯端末設置ベースに対してのみ携帯端末が安定して保持される。このため、携帯端末を複数箇所の設置面に対して設置したい場合には、安定保持シートを複数箇所の設置面に対しその都度取り付けたり、複数箇所毎に個々に取り付けたりする必要があり、非常に煩わしいものとなる。
【０００５】
本考案は、かかる点に鑑みてなされたものであり、その目的とするところは、携帯端末を設置したい設置面に対し、複数箇所であってもその都度取り付けたり、複数箇所毎に個々に取り付けたりする煩わしさをなくして簡単に安定して保持することができる安定保持シートを提供することにある。
【課題を解決するための手段】
【０００６】
上記目的を達成するため、本考案では、携帯端末の安定保持シートとして、携帯端末の鏡面状とされた裏面に、当該携帯端末を設置する設置面に対し安定して保持するシート材の裏面を接着材によって貼着する。このシート材を、可撓性を有する合成樹脂材により構成するとともに、前記携帯端末の裏面からはみ出さないように当該携帯端末の裏面よりも若干小さめに形成する。そして、前記シート材の表面に、前記設置面に対して吸着により安定して保持効果を発揮する無数の吸着孔を設けることを特徴としている。
【０００７】
また、前記シート材の表面を、前記設置面に凹凸差が存在している際にその設置面に対し裏面を接着材により貼着した状態で当該設置面の凹凸差を吸収する凹凸差吸収シートを介して設置していてもよい。
【０００８】
また、前記凹凸差吸収シートとして、前記設置面に存在する凹凸差が表面粗さ程度の小さなものであるときに当該設置面を鏡面状に変更するように表面が鏡面に形成された凹凸差小吸収シートを適用していてもよい。
【０００９】
これに対し、前記凹凸差吸収シートとして、前記設置面に存在する凹凸差が表面粗さよりも大きいものであるときに表面よりも裏面側が表裏方向へ弾性変形するような厚肉に形成された凹凸差大吸収シートを適用していてもよい。
【００１０】
また、前記シート材の裏面を、前記携帯端末の裏面から離脱させた際に保管するように、表面が鏡面状となる接着シート片に対し脱着自在に接着していてもよい。
【００１１】
また、前記凹凸差吸収シートの裏面を、前記設置面から離脱させた際に保管するように、表面が鏡面状となる接着シート片に対し脱着自在に接着していてもよい。
【００１２】
更に、前記シート材の表面を安定して保持する設置面の角度を、前記携帯端末の表面を上向けた水平な状態から鉛直となるまでの範囲に設定することがこのましい。
【考案の効果】
【００１３】
以上、要するに、携帯端末の裏面に裏面を接着材で貼着したシート材の表面に無数の吸着孔を設けた安定保持シートを介して携帯端末を設置面に対し設置することで、携帯端末を設置したい設置面に対し、複数箇所であってもその都度取り付けたり、複数箇所毎に個々に取り付けたりすることなく、簡単に安定して保持することができる。しかも、シート材を携帯端末の裏面からはみ出さないように携帯端末の裏面よりも若干小さめに形成することで、安定保持シートを目立たせることなく設置面に設置した際の携帯端末の美感を向上させることができる。
【００１４】
また、シート材の表面を、設置面に凹凸差が存在している際にその設置面に対し携帯端末の裏面を接着材により貼着した状態で当該設置面の凹凸差を吸収する凹凸差吸収シートを介して設置することで、設置面に凹凸差が存在していても凹凸差吸収シートによって携帯端末を設置面に対し安定して保持することが可能となる。
【００１５】
また、凹凸吸収シートとして、設置面に存在する凹凸差が表面粗さ程度の小さなものであるときに当該設置面を鏡面状に変更するような鏡面に表面が形成された凹凸差小吸収シートを適用することで、設置面に表面粗さ程度の凹凸差が存在していても凹凸差小吸収シートによって携帯端末を設置面に対し安定して保持することが可能となる。
【００１６】
これに対し、凹凸吸収シートとして、設置面に存在する凹凸差が表面粗さよりも大きいものであるときに表面よりも裏面側が表裏方向へ弾性変形するような厚肉に形成された凹凸差大吸収シートを適用することで、設置面に存在する凹凸差が表面粗さよりも大きいものであっても、その大きな凹凸差を厚肉の凹凸差大吸収シートの表面よりも裏面側が表裏方向へ弾性変形して円滑に吸収し、凹凸差大吸収シートによって携帯端末を設置面に対し安定して保持することが可能となる。
【００１７】
また、シート材の裏面を携帯端末の裏面から離脱させた際に表面が鏡面状となる接着シート片に対し脱着自在に接着して保管することで、シート材の裏面の接着材への埃などの付着を防止して、安定保持シートの接着力を効果的に持続させることが可能となる。
【００１８】
また、凹凸差吸収シートの裏面を設置面から離脱させた際に表面が鏡面状となる接着シート片に対し脱着自在に接着して保管することで、凹凸差吸収シートの裏面の接着材への埃などの付着を防止して、凹凸差吸収シートの接着力を効果的に持続させることが可能となる。
【００１９】
更に、シート材の表面を安定して保持する設置面の角度を携帯端末の表面を上向けた水平な状態から鉛直となるまでの範囲に設定することで、シート材の表面から携帯端末の表面が離反するマイナス方向に重力が作用することがなく、安定保持シートを設置面に対しより確実に安定して保持することが可能となる。
【図面の簡単な説明】
【００２０】
【図１】本考案の第１の実施の形態に係るスマートフォンの安定保持シートの断面図である。
【図２】図１の安定保持シートをスマートフォンの裏面に取り付けた状態で裏面側から見た背面図である。
【図３】図２の安定保持シートをスマートフォンに取り付けた状態の断面図である。
【図４】安定保持シートを取り付けるに当たってスマートフォンの裏面を清浄している状態を示す斜視図である。
【図５】スマートフォンの裏面に取り付けるに当たって安定保持シートの裏面側剥離紙を取り外している状態を示す斜視図である。
【図６】裏面をスマートフォンの裏面に取り付けた状態で安定保持シートの表面側剥離紙を取り外している状態を示す斜視図である。
【図７】安定保持シートの表面を机上の水平な設置面に設置したスマートフォンを滑らせることなく安定して保持した状態を示す斜視図である。
【図８】安定保持シートの裏面に取り付けたスマートフォンを水平状態から３０°毎に設置面を変更した状態を説明する説明図である。
【図９】スマートフォンを安定保持シートによって窓ガラス上の鉛直な設置面に対して設置した状態を示す斜視図である。
【図１０】スマートフォンを安定保持シートによって冷蔵庫の正面上の鉛直な設置面に設置した状態を示す斜視図である。
【図１１】本考案の第２の実施の形態に係るスマートフォンの安定保持シートが吸着される凹凸差小収集シートの断面図である。
【図１２】図１１の凹凸差小吸収シートにスマートフォンの裏面を取り付けるに当たって凹凸差小吸収シートの裏面側の剥離紙を取り外している状態を示す斜視図である。
【図１３】スマートフォンを取り付けるに当たって凹凸差小吸収シートの表面を清浄している状態を示す斜視図である。
【図１４】略鉛直な縦壁の設置面に凹凸差小吸収シートを介してスマートフォンを安定して保持した状態を示す斜視図である。
【図１５】図１４の断面図である。
【図１６】本考案の第３の実施の形態に係るスマートフォンの安定保持シートが吸着される凹凸差大吸収シートの断面図である。
【図１７】図１６の凹凸差大吸収シートにスマートフォンの裏面を取り付けるに当たって凹凸差大吸収シートの裏面側の剥離紙を取り外している状態を示す斜視図である。
【図１８】スマートフォンを取り付けるに当たって凹凸差大吸収シートの表面を清浄している状態を示す斜視図である。
【図１９】略鉛直な縦面に凹凸差大吸収シートを介してスマートフォンを安定して保持した状態を示す斜視図である。
【図２０】図１９の断面図である。
【図２１】第３の実施の形態の変形例に係るスマートフォンの安定保持シートを自動車のダッシュボードに凹凸差大吸収シートを介して安定して保持した状態を示す斜視図である。
【図２２】第３の実施の形態のその他の変形例に係るスマートフォンの安定保持シートから離脱させた凹凸差大吸収シートの裏面を接着シート片の表面に対し接着する直前の状態を示す斜視図である。
【図２３】図２２の凹凸差大吸収シートの裏面を接着シート片の表面に対し脱着自在に接着した状態を示す斜視図である。
【考案を実施するための形態】
【００２１】
以下、添付図面を参照しながら、本考案の実施の形態について説明し、本考案の理解に供する。なお、以下の実施の形態は、本考案を具体化した一例であって、本考案の技術的範囲を限定する性格のものではない。
【００２２】
図１は本考案の第１の実施の形態に係る安定保持シートの断面図、図２は安定保持シートをスマートフォンの裏面に取り付けた状態で裏面側から見た背面図、図３は安定保持シートをスマートフォンに取り付けた状態の断面図をそれぞれ示している。
【００２３】
図１〜図３に示すように、携帯端末としてのスマートフォンＳの鏡面状とされた裏面Ｓ１には、スマートフォンＳを設置したい設置面としての机Ｄの上面に対し当該スマートフォンＳを安定して保持する安定保持シート１のシート材１０の裏面がウレタン系粘着剤１１（接着材）を介して貼着されている。また、安定保持シート１（シート材１０）は、可撓性を有する合成樹脂材により構成されている。
【００２４】
安定保持シート１の合成樹脂材は、ＰＶＣフォーム１２（ポリ塩化ビニル樹脂）と、ＰＥフォーム１３（ポリエチレンフォーム）と、飽和ポリエステル樹脂１４と、ウレタン系粘着剤１１とを備え、これらによって４層構造に構成されている。ＰＶＣフォーム１２は、安定保持シート１の最表層側に設けられ、このＰＶＣフォーム１２の裏面にＰＥフォーム１３が設けられている。また、飽和ポリエステル樹脂１４はＰＥフォーム１３の裏面に設けられ、この飽和ポリエステル樹脂１４の裏面にウレタン系粘着剤１１が設けられている。更に、安定保持シート１のＰＶＣフォーム１２の表面には、透明の表面側剥離紙１５が接着されている。一方、安定保持シート１のウレタン系粘着剤１１の裏面には、白い裏面側剥離紙１６が接着されている。
【００２５】
安定保持シート１は、スマートフォンＳに貼り付けた際にはみ出さないように当該スマートフォンＳの裏面Ｓ１よりも若干小さめに形成されている。また、ＰＶＣフォーム１２の表面には、机Ｄの上面に対し吸着により安定して保持効果を発揮する無数の吸着孔（図示せず）が開口している。
【００２６】
図４は安定保持シート１を取り付けるに当たってスマートフォンＳの裏面Ｓ１を清浄している状態を示す斜視図、図５はスマートフォンＳの裏面Ｓ１に取り付けるに当たって安定保持シートの裏面側剥離紙１６を取り外している状態を示す斜視図、図６は裏面をスマートフォンＳの裏面Ｓ１に取り付けた状態で安定保持シート１の表面側剥離紙１５を取り外している状態を示す斜視図をそれぞれ示している。
【００２７】
ここで、安定保持シート１を取り付けた状態のスマートフォンＳを机Ｄの上面に設置する手順について説明する。
【００２８】
先ず、図４に示すように、スマートフォンＳの裏面Ｓ１をティッシュＴなどで拭いて清浄し、スマートフォンＳの裏面Ｓ１から埃や油分などを除去しておく。次いで、図５に示すように、安定保持シート１の裏面側剥離紙１６を剥がし、露呈したウレタン系粘着剤１１をスマートフォンＳの裏面Ｓ１に接着して安定保持シート１を取り付ける。
【００２９】
それから、図６に示すように、スマートフォンＳの裏面Ｓ１に裏面を取り付けた安定保持シート１の表面側剥離紙１５を剥がして取り外す。
【００３０】
図７は安定保持シート１の表面を机Ｄ上の水平な設置面Ｄ１に設置したスマートフォンＳを滑らせることなく安定して保持した状態を示す斜視図を示している。この図７に示すように、机Ｄ上の水平な設置面Ｄ１に設置したスマートフォンＳは、設置面Ｄ１に対しＰＶＣフォーム１２の表面に開口する無数の吸着孔が吸着し、設置面Ｄ１から落下する方向（図７に一点鎖線で示す矢印方向）へ誤って接触しても落下が円滑に防止されるようにしている。
【００３１】
図８は安定保持シート１の裏面に取り付けたスマートフォンＳを水平状態から３０°毎に設置面を変更した状態を説明する説明図を示している。この図８において、スマートフォンＳの表面Ｓ２を上向けた水平状態（図８に実線で示す状態）から３０°毎に設置面Ｎを変更して設置面Ｎが水平状態から９０°となる鉛直状態（図８に一点鎖線で示す状態）までは、設置面Ｎに対しＰＶＣフォーム１２の吸着孔が吸着してスマートフォンＳが安定して保持可能な状態となる。その後、設置面Ｎが鉛直状態から３０°毎に設置面Ｎを変更してスマートフォンＳの表面Ｓ２を下向けた状態（図８に二点鎖線で示す状態）となると、スマートフォンＳの重力が安定保持シート１の表面を設置面Ｎから引き離す方向に作用し、設置面Ｎに対するＰＶＣフォーム１２の吸着孔の吸着力が劣ってスマートフォンＳの安定した保持状態が解消される。これにより、安定保持シート１のＰＶＣフォーム１２の表面を安定して保持する設置面Ｎの角度を、スマートフォンＳの表面Ｓ２を上向けた水平な状態から鉛直となるまでの範囲に設定している。なお、図８では、安定保持シート１を省略している。
【００３２】
図９はスマートフォンＳを安定保持シート１によって窓ガラス上の鉛直な設置面に対して設置した状態を示す斜視図、図１０はスマートフォンＳを安定保持シート１によって冷蔵庫の正面上の鉛直な設置面に設置した状態を示す斜視図をそれぞれ示している。
【００３３】
図９に示すように、スマートフォンＳを設置したい設置面としての窓ガラスＷ上の鉛直な設置面Ｗ１に対してスマートフォンＳを安定保持シート１によって設置している。この場合、窓ガラスＷ上の設置面Ｗ１が鉛直状態であるので、設置面Ｗ１に対しＰＶＣフォーム１２の吸着孔が吸着してスマートフォンＳが安定して保持される。
【００３４】
図１０に示すように、スマートフォンＳを設置したい設置面としての冷蔵庫Ｒの正面上の鉛直な設置面Ｒ１に対してスマートフォンＳを安定保持シート１によって設置している。この場合、冷蔵庫Ｒの設置面Ｒ１が鉛直状態であるので、設置面Ｒ１に対しＰＶＣフォーム１２の吸着孔が吸着してスマートフォンＳが安定して保持される。
【００３５】
したがって、本実施の形態では、スマートフォンＳがその裏面Ｓ１に裏面をウレタン系粘着剤１１で貼着したシート材１０のＰＶＣフォーム１２の表面に無数の吸着孔を設けた安定保持シート１を介して設置面Ｄ１，Ｗ１，Ｒ１に対し設置されているので、スマートフォンＳを設置したい設置面Ｄ１，Ｗ１，Ｒ１に対し、複数箇所であってもその都度取り付けたり、複数箇所毎に個々に取り付けたりすることなく、簡単に安定して保持することができる。
【００３６】
しかも、安定保持シート１がスマートフォンＳの裏面Ｓ１からはみ出さないようにスマートフォンＳの裏面Ｓ１よりも若干小さめに形成されているので、安定保持シート１を目立たせることなく設置面Ｄ１，Ｗ１，Ｒ１に設置した際のスマートフォンＳの美感を向上させることができる。
【００３７】
更に、安定保持シート１のＰＶＣフォーム１２の表面を安定して保持する設置面Ｎの角度がスマートフォンＳの表面Ｓ２を上向けた水平な状態から鉛直となるまでの範囲に設定されているので、安定保持シート１のＰＶＣフォーム１２の表面からスマートフォンＳの表面Ｓ２が離反するマイナス方向に重力が作用することがなく、安定保持シート１を設置面Ｄ１，Ｎ，Ｗ１，Ｒ１に対しより確実に安定して保持することができる。
【００３８】
次に、本考案の第２の実施の形態を図１１〜図１５に基づいて説明する。
【００３９】
この実施の形態では、設置面に対し安定保持シートに加えて凹凸差小吸収シートを介してスマートフォンを設置している。なお、凹凸差小吸収シートを除くその他の構成は、前記第１の実施の形態の場合と同じであり、同一の部分については同じ符号を付してその詳細な説明は省略する。図１１は本考案の第２の実施の形態に係る安定保持シート１が吸着される凹凸差小吸収シートの断面図を示している。
【００４０】
すなわち、本実施の形態では、図１１に示すように、安定保持シート１（シート材１０）の表面は、縦壁Ｆに塩化ビニルクロスを貼った設置面Ｆ１に凹凸が存在している際にその設置面Ｆ１に対し、裏面をウレタン系粘着剤１１により貼着した状態で当該設置面Ｆ１の凹凸差を吸収する凹凸差吸収シートを介して吸着されている。この凹凸差吸収シートとしては、設置面Ｆ１に存在する凹凸差が表面粗さ程度の小さいものであるときに当該設置面Ｆ１を鏡面状に変更するように表面が鏡面に形成された凹凸差小吸収シート２が適用されている。また、凹凸差小吸収シート２（凹凸差吸収シート）のシート材２０は、可撓性を有する合成樹脂材により構成されている。
【００４１】
凹凸差小吸収シート２（シート材２０）の合成樹脂材は、飽和ポリエステル樹脂２１とウレタン系粘着剤２２とを備え、これらによって２層構造に構成されている。ウレタン系粘着剤２２は、飽和ポリエステル樹脂１４の裏面に設けられている。更に、凹凸差小吸収シート２のウレタン系粘着剤２２の裏面には、白い裏面側剥離紙２３が接着されている。
【００４２】
凹凸差小吸収シート２は、凹凸差が表面粗さ程度となる設置面Ｆ１に対しウレタン系粘着剤２２による貼着効果が十分に発揮できるようにスマートフォンＳの裏面Ｓ１よりも若干大きめに形成されている。
【００４３】
図１２は凹凸差小吸収シート２にスマートフォンＳの裏面Ｓ１を取り付けるに当たって凹凸差小吸収シート２の裏面側の剥離紙を取り外している状態を示す斜視図、図１３はスマートフォンＳを取り付けるに当たって凹凸差小吸収シート２の表面を清浄している状態を示す斜視図をそれぞれ示している。また、図１４は略鉛直な縦壁Ｆの設置面Ｆ１に凹凸差小吸収シート２を介してスマートフォンＳを安定して保持した状態を示す斜視図、図１５は図１４の断面図をそれぞれ示している。
【００４４】
ここで、安定保持シート１を取り付けた状態のスマートフォンＳを凹凸差が表面粗さ程度の設置面Ｆ１に凹凸差小吸収シート２を介して設置する手順について説明する。
【００４５】
先ず、図１２に示すように、凹凸差小吸収シート２の裏面側剥離紙２３を剥がし、露呈したウレタン系粘着剤２２を縦壁Ｆの設置面Ｆ１に接着して凹凸差小吸収シート２を取り付ける。次いで、図１３に示すように、凹凸差小吸収シート２の飽和ポリエステル樹脂２１の表面をティッシュＴなどで拭いて清浄し、飽和ポリエステル樹脂２１の表面から埃や油分などを除去しておく。このとき、ウレタン系粘着剤２２の接着面に埃、皮脂や油分などの汚れが付着していると、縦壁Ｆの設置面Ｆ１に対して十分な接着力が発揮できないため、ノンアルコールタイプのウェットティッシュなどでしっかりと汚れを落として自然乾燥させてから使用する。
【００４６】
それから、図１４及び図１５に示すように、スマートフォンＳの裏面Ｓ１に裏面を取り付けた安定保持シート１の表面側剥離紙１５を剥がし、凹凸差小吸収シート２の飽和ポリエステル樹脂２１の表面に対し安定保持シート１のＰＶＣフォーム１２の表面に開口する無数の吸着孔を吸着させて、凹凸差が表面粗さ程度の小さい設置面Ｆ１に安定保持シート１及び凹凸差小吸収シート２を介してスマートフォンＳを設置している。
【００４７】
また、スマートフォンＳの安定保持シート１のＰＶＣフォーム１２の表面を凹凸差小吸収シート２の飽和ポリエステル樹脂２１の表面に吸着させた状態においても、スマートフォンＳの表面Ｓ２を上向けた水平状態から設置面Ｆ１を変更して設置面Ｆ１が水平状態から９０°となる鉛直状態までは、安定保持シート１のＰＶＣフォーム１２の表面が凹凸差小吸収シート２の飽和ポリエステル樹脂２１の表面に吸着し、スマートフォンＳが安定して保持可能な状態となる。
【００４８】
したがって、本実施の形態では、縦壁Ｆの設置面Ｆ１に存在する凹凸差が表面粗さ程度の小さいものであるときにその設置面Ｆ１に貼着した凹凸差小吸収シート２の飽和ポリエステル樹脂２１の表面によって当該設置面Ｆ１が鏡面状に変更されるので、設置面Ｆ１に表面粗さ程度の凹凸差が存在していても凹凸差小吸収シート２によってスマートフォンＳを設置面Ｆ１に対し安定して保持することができる。
【００４９】
次に、本考案の第３の実施の形態を図１６〜図２０に基づいて説明する。
【００５０】
この実施の形態では、設置面に対し安定保持シートに加えて凹凸差大吸収シートを介してスマートフォンを設置している。なお、凹凸差大吸収シートを除くその他の構成は、前記第１の実施の形態の場合と同じであり、同一の部分については同じ符号を付してその詳細な説明は省略する。図１６は本考案の第３の実施の形態に係る安定保持シートが吸着される凹凸差大吸収シートの断面図を示している。
【００５１】
すなわち、本実施の形態では、図１６に示すように、安定保持シート１（シート材１０）の表面は、縦壁Ｇに塩化ビニルクロスを貼った設置面Ｇ１に凹凸が存在している際にその設置面Ｇ１に対し、裏面をウレタン系粘着剤１１により貼着した状態で当該設置面Ｇ１の凹凸差を吸収する凹凸差吸収シートを介して吸着されている。この凹凸差吸収シートとしては、設置面Ｇ１に存在する凹凸差が表面粗さよりも大きいものであるときに表面よりも裏面側が表裏方向へ弾性変形するような厚肉に形成された凹凸差大吸収シート３が適用されている。また、凹凸差大吸収シート３（凹凸差吸収シート）のシート材３０は、可撓性を有する合成樹脂材により構成されている。
【００５２】
凹凸差大吸収シート３（シート材３０）の合成樹脂材は、ＰＶＣフォーム３２（ポリ塩化ビニル樹脂）と、ＰＥフォーム３３（ポリエチレンフォーム）と、飽和ポリエステル樹脂３４と、ウレタン系粘着剤３１とを備え、これらによって４層構造に構成されている。ＰＶＣフォーム３２は、凹凸差大吸収シート３の最表層側に設けられ、このＰＶＣフォーム３２の裏面にＰＥフォーム３３が設けられている。また、飽和ポリエステル樹脂３４はＰＥフォーム３３の裏面に設けられ、この飽和ポリエステル樹脂３４の裏面にウレタン系粘着剤３１が設けられている。更に、凹凸差大吸収シート３のＰＶＣフォーム３２の表面には、透明の表面側剥離紙３５が接着されている。一方、凹凸差大吸収シート３のウレタン系粘着剤３１の裏面には、白い裏面側剥離紙３６が接着されている。
【００５３】
凹凸差大吸収シート３は、凹凸差が表面粗さよりも大きい設置面Ｇ１に対しウレタン系粘着剤３１による貼着効果が十分に発揮できるようにスマートフォンＳの裏面Ｓ１よりも若干大きめに形成されている。また、ＰＶＣフォーム３２の表面には、安定保持シート１のＰＶＣフォーム１２の表面に対し互いの吸着により安定して保持効果を発揮する無数の吸着孔（図示せず）が開口している。
【００５４】
図１７は凹凸差大吸収シート３にスマートフォンＳの裏面Ｓ１を取り付けるに当たって凹凸差大吸収シート３の裏面側の剥離紙を取り外している状態を示す斜視図、図１８はスマートフォンＳを取り付けるに当たって凹凸差大吸収シート３の表面を清浄している状態を示す斜視図をそれぞれ示している。また、図１９は略鉛直な縦面に凹凸差大吸収シート３を介してスマートフォンＳを安定して保持した状態を示す斜視図、図２０は図１９の断面図をそれぞれ示している。
【００５５】
ここで、安定保持シート１を取り付けた状態のスマートフォンＳを凹凸差が表面粗さよりも大きい縦壁Ｇの設置面Ｇ１に凹凸差大吸収シート３を介して設置する手順について説明する。
【００５６】
先ず、縦壁Ｇの設置面Ｇ１をティッシュＴなどで拭いて清浄し、設置面Ｇ１から埃や油分などを除去しておく。次いで、図１７に示すように、凹凸差大吸収シート３の裏面側剥離紙３６を剥がし、露呈したウレタン系粘着剤３１を設置面Ｇ１に接着して凹凸差大吸収シート３を取り付ける。このとき、ウレタン系粘着剤３１の接着面に埃、皮脂や油分などの汚れが付着していると、設置面Ｇ１に対して十分な接着力が発揮できないため、ノンアルコールタイプのウェットティッシュなどでしっかりと汚れを落として自然乾燥させてから使用する。
【００５７】
それから、図１８に示すように、縦壁Ｇの設置面Ｇ１に裏面を取り付けた凹凸差大吸収シート３の表面側剥離紙３５を剥がして取り外す。その後、図１９及び図２０に示すように、スマートフォンＳの裏面Ｓ１に裏面を取り付けた安定保持シート１の表面側剥離紙１５を剥がして取り外し、凹凸差大吸収シート３のＰＶＣフォーム３２の表面に開口する無数の吸着孔に対し、安定保持シート１のＰＶＣフォーム１２の表面に開口する無数の吸着孔を互いに吸着させて、凹凸差が表面粗さよりも大きい設置面Ｇ１に安定保持シート１及び凹凸差大吸収シート３を介してスマートフォンＳを設置している。
【００５８】
また、スマートフォンＳの安定保持シート１のＰＶＣフォーム１２の表面を凹凸差大吸収シート３のＰＶＣフォーム３２の表面に吸着させた状態においても、スマートフォンＳの表面Ｓ２を上向けた水平状態から設置面Ｇ１を変更して設置面Ｇ１が水平状態から９０°となる鉛直状態までは、安定保持シート１のＰＶＣフォーム１２の表面が凹凸差大吸収シート３のＰＶＣフォーム３２の表面に互いに吸着し、スマートフォンＳが安定して保持可能な状態となる。
【００５９】
したがって、本実施の形態では、縦壁Ｆの設置面Ｇ１に存在する凹凸差が表面粗さよりも大きいものであるときに表面よりも裏面側が表裏方向へ弾性変形するような厚肉に形成された凹凸差大吸収シート３が適用されているので、縦壁Ｇの設置面Ｇ１に存在する凹凸差が表面粗さよりも大きいものであっても、その大きな凹凸差を厚肉の凹凸差大吸収シート３の表面よりも裏面側が表裏方向へ弾性変形して円滑に吸収し、凹凸差大吸収シート３によってスマートフォンＳを設置面Ｇ１に対し安定して保持することができる。
【００６０】
次に、本考案の第３の実施の形態の変形例を図２１に基づいて説明する。
【００６１】
この変形例では、安定保持シート及び凹凸差大吸収シートを介してスマートフォンを設置する設置面を変更している。なお、設置面を除くその他の構成は、前記第３の実施の形態の場合と同じであり、同一の部分については同じ符号を付してその詳細な説明は省略する。図２１は本考案の第３の実施の形態の変形例に係るスマートフォンＳの安定保持シート１を自動車のダッシュボードに凹凸差大吸収シート３を介して安定して保持した状態を示す斜視図を示している。
【００６２】
すなわち、本実施の形態では、図２１に示すように、安定保持シート１（シート材１０）の表面は、自動車の車室Ｋのダッシュボード上の設置面Ｋ１に凹凸が存在している際にその設置面Ｋ１に対し、裏面をウレタン系粘着剤３１により貼着した状態で当該設置面Ｋ１の凹凸差を吸収する凹凸差大吸収シート３を介して吸着されている。
【００６３】
この場合、二点鎖線で示すように、フロントガラス上の設置面Ｋ２やサイドウインドウ上の設置面Ｋ３にあっては、車室Ｋの構造上、設置面Ｋ２，Ｋ３に設置されたスマートフォンＳの表面Ｓ２が下向けた状態となる。このため、スマートフォンＳの重力が安定保持シート１の表面を設置面Ｋ２，Ｋ３から共に引き離す方向に作用し、設置面Ｋ２，Ｋ３に対するＰＶＣフォーム１２の吸着孔の吸着力が劣ってスマートフォンＳを安定して保持することができず、設置面Ｋ２，Ｋ３については不適格となる。
【００６４】
次に、本考案の第３の実施の形態のその他の変形例を図２２及び図２３に基づいて説明する。
【００６５】
この変形例では、凹凸差大吸収シートを不使用時に保管しておくための接着シート片を備えている。なお、接着シートを除くその他の構成は、前記第３の実施の形態の場合と同じであり、同一の部分については同じ符号を付してその詳細な説明は省略する。図２２は第３の実施の形態のその他の変形例に係るスマートフォンＳの安定保持シート１から離脱させた凹凸差大吸収シート３の裏面を接着シート片の表面に対し接着する直前の状態を示す斜視図、図２３は凹凸差大吸収シート３の裏面を接着シート片の表面に対し脱着自在に接着した状態を示す斜視図をそれぞれ示している。
【００６６】
すなわち、本実施の形態では、図２２及び図２３に示すように、凹凸差大吸収シート３の裏面のウレタン系粘着剤３１は、設置面から離脱させた際に保管されるように、表面が鏡面状となる接着シート片４に対し脱着自在に接着されている。この接着シート片４は、厚紙により形成され、凹凸差大吸収シート３のウレタン系粘着剤３１を接着する接着面（表面）に剥離フィルム（図示せず）による処理が施されて鏡面状となり、ウレタン系粘着剤３１を着脱可能としている。また、接着シート片４は、凹凸差大吸収シート３よりも大きく形成され、凹凸差大吸収シート３と同一形状に形成された接着部位４１の周囲を枠体４２で囲んでいる。
【００６７】
この場合、凹凸差大吸収シート３の裏面のウレタン系粘着剤３１が、設置面から離脱した際に接着面が鏡面状となる接着シート片４に対し脱着自在に接着して保管されているので、凹凸差大吸収シート３の裏面のウレタン系粘着剤３１への埃などの付着を防止して、凹凸差大吸収シート３の接着力を効果的に持続させることができる。
【００６８】
なお、本考案は、前記各実施の形態に限定されるものではなく、その他種々の変形例を包含している。例えば、前記各実施の形態では、携帯端末として、スマートフォンＳを適用したが、ｉＰａｄ（アイパッド）（登録商標）等のタブレット型の携帯端末、携帯電話、ゲーム機、電子書籍端末などにも適用できるのはいうまでもない。
【００６９】
また、前記第３の実施の形態のその他の変形例では、凹凸差大吸収シート３の裏面のウレタン系粘着剤３１を、設置面から離脱させた凹凸差大吸収シート３の不使用時に接着シート片４に接着して保管したが、凹凸差小吸収シートの裏面のウレタン系粘着剤を、設置面から離脱させた凹凸差小吸収シートの不使用時に接着シート片に接着して保管したり、安定保持シートの裏面のウレタン系粘着剤を、スマートフォンの裏面から離脱させた安定保持シートの不使用時に接着シート片に接着して保管したりしてもよく、同一の作用効果を得ることが可能となる。
【００７０】
更に、前記第１の実施の形態では、スマートフォンＳを安定保持シート１によって机Ｄ上の設置面Ｄ１の他、窓ガラスＷ上の設置面Ｗ１や冷蔵庫Ｒの設置面Ｒ１に設置したが、鏡、ステンレス、鉄、タイル、メラニン化粧版、プラスチック類などのツルツルとした光沢のある設置面であればよく、いずれの設置面であってもＰＶＣフォームの吸着孔が強力に吸着してスマートフォンを安定して保持することが可能となる。
【符号の説明】
【００７１】
１        安定保持シート
１０      シート材
１１      ウレタン系粘着剤（接着材）
１２      ＰＶＣフォーム（安定保持シートの表面）
２        凹凸差小吸収シート（凹凸差吸収シート）
２２      ウレタン系粘着剤（接着材）
３        凹凸差大吸収シート（凹凸差吸収シート）
３１      ウレタン系粘着剤（接着材）
４        接着シート片
Ｄ１，Ｎ，Ｗ１，Ｒ１，Ｆ１，Ｇ１，Ｋ１      設置面
Ｓ        スマートフォン（携帯端末）
Ｓ１      裏面
Ｓ２      表面
【図１】
0003209164.tif 000003
【図２】
0003209164.tif 000004
【図３】
0003209164.tif 000005
【図４】
0003209164.tif 000006
【図５】
0003209164.tif 000007
【図６】
0003209164.tif 000008
【図７】
0003209164.tif 000009
【図８】
0003209164.tif 000010
【図９】
0003209164.tif 000011
【図１０】
0003209164.tif 000012
【図１１】
0003209164.tif 000013
【図１２】
0003209164.tif 000014
【図１３】
0003209164.tif 000015
【図１４】
0003209164.tif 000016
【図１５】
0003209164.tif 000017
【図１６】
0003209164.tif 000018
【図１７】
0003209164.tif 000019
【図１８】
0003209164.tif 000020
【図１９】
0003209164.tif 000021
【図２０】
0003209164.tif 000022
【図２１】
0003209164.tif 000023
【図２２】
0003209164.tif 000024
【図２３】
0003209164.tif 000025
【手続補正書】
【提出日】平成28年12月28日(2016.12.28)
【手続補正１】
【補正対象書類名】実用新案登録請求の範囲
【補正対象項目名】全文
【補正方法】変更
【補正の内容】
【実用新案登録請求の範囲】
【請求項１】
携帯端末の鏡面状とされた裏面には、当該携帯端末を設置する設置面に対し安定して保持するシート材の裏面が接着材を介して貼着されており、
前記シート材は、可撓性を有する合成樹脂材により構成されているとともに、前記携帯端末の裏面からはみ出さないように当該携帯端末の裏面よりも若干小さめに形成され、
前記シート材の表面には、前記設置面に対して吸着により安定して保持効果を発揮する無数の吸着孔が設けられていることを特徴とする携帯端末の安定保持シート。
【請求項２】
前記シート材の表面は、前記設置面に凹凸差が存在している際にその設置面に対し裏面を接着材により貼着した状態で当該設置面の凹凸差を吸収する凹凸差吸収シートを介して設置されている請求項１に記載の携帯端末の安定保持シート。
【請求項３】
前記凹凸差吸収シートとしては、前記設置面に存在する凹凸差が表面粗さ程度の小さなものであるときに当該設置面を鏡面状に変更するように表面が鏡面に形成された凹凸差小吸収シートが適用されている請求項２に記載の携帯端末の安定保持シート。
【請求項４】
前記凹凸差吸収シートとしては、前記設置面に存在する凹凸差が表面粗さよりも大きいものであるときに表面よりも裏面側が表裏方向へ弾性変形するような厚肉に形成された凹凸差大吸収シートが適用されている請求項２に記載の携帯端末の安定保持シート。
【請求項５】
前記シート材の裏面は、前記携帯端末の裏面から離脱させた際に保管されるように、表面が鏡面状となる接着シート片に対し脱着自在に接着されている請求項１〜請求項４のいずれか１つに記載の携帯端末の安定保持シート。
【請求項６】
前記凹凸差吸収シートの裏面は、前記設置面から離脱させた際に保管されるように、表面が鏡面状となる接着シート片に対し脱着自在に接着されている請求項２〜請求項４のいずれか１つに記載の携帯端末の安定保持シート。
【請求項７】
前記シート材の表面を安定して保持する設置面の角度は、前記携帯端末の表面を上向けた水平な状態から鉛直となるまでの範囲に設定されている請求項１〜請求項６のいずれか１つに記載の携帯端末の安定保持シート。